(57)【要約】【課題】サーバーラック、サーバーラック移動システム及びその取付方法を提供する。【解決手段】サーバーラックをデータセンターに移動する前に、サーバーラックに予めサーバーを取り付ける。予め取り付けられるサーバー及びサーバーラックが安全にデータセンターに移動することを達成させるために、ショックアブソーバーは、サーバーラックの下に設けられる。輸送用ブラケットにおけるサーバーラック及びサーバーがデータセンターに移動し又はデータセンター内で移動する場合、ショックアブソーバーによって震動を吸収する。【選択図】図１
2019133629.tif 000002
【特許請求の範囲】
【請求項１】
１つ又は複数のサーバーを取り付けることができ、低い末端にピラーを含むサーバーラックと、
前記ピラーに設けられるショックアブソーバーと、
を備えるサーバーラック。
【請求項２】
少なくとも１つの足を更に備え、前記ショックアブソーバーは前記ピラーと前記少なくとも１つの足との間に位置する請求項１に記載のサーバーラック。
【請求項３】
前記サーバーラックに取り付けられる少なくとも１つのホイール又は少なくとも１つのキャスターを更に備える請求項１又は２に記載のサーバーラック。
【請求項４】
輸送用ブラケットに置かれる前記輸送用ブラケットに組み合わせる請求項１に記載のサーバーラックと、
前記サーバーラックに設けられる少なくとも１つのホイールと、
前記サーバーラック内にある少なくとも１つのサーバーと、
を備えるサーバーラック移動システム。
【請求項５】
サーバーラックをデータセンターに移動する前に、予めサーバーをサーバーラック内に取り付ける取付方法であって、
予め前記サーバーラック内に取り付けられる複数のサーバーを有するサーバーラックを提供する工程と
前記サーバーラックと輸送用ブラケットとを組み合わせて、前記サーバーラック及び取り付けられた前記サーバーをデータセンターに輸送する工程と、
ショックアブソーバーを前記サーバーラックと前記輸送用ブラケットとの間に提供する工程と、
を含む取付方法。
【請求項６】
前記サーバーラックの最低部から延伸する複数のピラーを提供し、且つ前記ショックアブソーバーを前記ピラーに置く工程と、
調整可能な複数の足を前記ショックアブソーバーと前記輸送用ブラケットとの間に提供する工程と、
複数のホイールを前記サーバーラックの最低部に提供する工程と、
を更に含む請求項５に記載の取付方法。
【請求項７】
前記サーバー及び前記サーバーラックの全ての重量が前記ホイールではなく前記ショックアブソーバーにより受けられ、又は前記サーバー及び前記サーバーラックの全ての重量が前記足ではなく前記ホイールにより受けられるように、調整可能な前記足を調整することを更に含む請求項６に記載の取付方法。
【請求項８】
前記サーバーラックをデータセンターに移動した後で、前記サーバー及び前記サーバーラックの重量が前記足ではなく前記ホイールにより受けられるようにする調整工程を行う請求項６又は７に記載の取付方法。
【請求項９】
最低部を有するサーバーラックを備え、
前記サーバーラックの前記最低部に調整可能な複数の足及び複数のホイールが設けられ、震動エネルギーを吸収するように各調整可能な前記足にショックアブソーバーが設けられ、前記ショックアブソーバーが前記サーバーラックと前記足の各々との間に位置し、
前記サーバーラックの前記最低部が複数のピラーを含み、且つ前記ショックアブソーバーが前記ピラーの各々と前記足の各々との間に位置するサーバーラック。
【請求項１０】
前記サーバーラックは、輸送用ブラケットに組み合わせ、且つ調整可能な前記ホイールではなく前記足が前記輸送用ブラケットに接触し、前記サーバーラックは、前記サーバーラック内に取り付けられる複数のサーバーを含む請求項９に記載のサーバーラック。
【発明の詳細な説明】
【技術分野】
【０００１】
サーバーラックを１つのユニットで輸送する場合、予めサーバーラック内に取り付けられたサーバーに加えられる圧力を減少するために、ショックアブソーバ機能付の高度調整可能な足をサーバーラックのピラーの下に与えて、直接震動を吸収する。輸送システム及び予め取り付けられたサーバーの輸送方法も開示される。
【背景技術】
【０００２】
データセンターの所望の構築時間が短くなるにつれて、データセンターに移動するように予めサーバーラック内に取り付けられるサーバーが新しい傾向になり、且つこのサーバーラックによってデータセンターの構築のリードタイムを短縮することができる。しかしながら、予め取り付けられたサーバーを移動する場合、サーバーに対する耐震保護を提供すると共に、サーバーラックの十分な強度の確保のような、新たな挑戦が出る。
【発明の概要】
【０００３】
本開示の実施例によれば、サーバーラックのピラーの下にショックアブソーバ機能付の高度調整可能な足を提供し、サーバーが既にサーバーラックの中に取り付けられている。
【０００４】
本開示の別の実施例によれば、サーバーラックを輸送する場合、輸送用ブラケットにおけるサーバーラックによる直接支持が直接震動を吸収することで、サーバー及びサーバーラックの両者を保護する。
【０００５】
本開示の更に１つの実施例によれば、サーバーラックのピラーの下にショックアブソーバ機能付の高度調整可能な足を提供し、サーバーラックを取り付ける場合、この高度調整可能な足は、高い又は正常な操作位置に上がることができる。同時に、高度調整可能な足が直接輸送用ブラケットに接触し、サーバー及びサーバーラックの両者を輸送中に震動から保護するように、高度調整可能な足を低い輸送位置に調整してもよい。
【０００６】
これら及び他の物体及び高度調整可能な足の構造及び機能の実施例については、詳しい説明及び添付図面を参照して理解される。
【図面の簡単な説明】
【０００７】
【図１Ａ】輸送用ブラケットに置かれるサーバーラックを示す模式図である。
【図１Ｂ】図１Ａの一部の拡大模式図であり、ショックアブソーバ機能付の高度調整可能な足の細部を示す。
【図２Ａ】高度調整可能な足を有するサーバーラックが輸送用ブラケットにある場合の模式図であり、高度調整可能な足が高い又は正常な位置に調整される。
【図２Ｂ】図２Ａの一部の拡大模式図であり、ショックアブソーバ機能付の高度調整可能な足の細部を示す。
【図３Ａ】高度調整可能な足のサーバーラックが輸送用ブラケットにある場合の模式図であり、ショックアブソーバ機能付の高度調整可能な足が輸送用ブラケットに接合するように下がる。
【図３Ｂ】図３Ａの一部の拡大模式図であり、輸送用ブラケットに接触するように下がるショックアブソーバ機能付の高度調整可能な足の細部を示す。
【発明を実施するための形態】
【０００８】
本発明については、添付図面を参照して詳しく説明する。参照番号は、図面における全ての類似又は同一の素子を指すためのものである。図面は、比例に基づいて描かれず、単に本発明を説明するためのものである。以下、適用例によって本発明の幾つの態様を説明する。本発明を完全に理解させるために、多くの特定な細部、関係性及び方法を示す。しかし、当業者であれば、その他の方法によっても、又は1つ又は複数の細部がなくても、本発明を実行することができることは容易に理解される。他の例では、不明瞭にしないように、周知の構造や動作を詳しく説明しない。本発明は、動作又は事例の示す順序によって制限されなく、例えば、幾つかの動作は、異なる順序で及び／又は他の動作又は事例と同時に発生してもよい。更に、本発明によって提案された方法を実施するために、示された動作又は事例は完全に不可欠ではない。
【０００９】
データセンターのスケジュールの構築を高速化するために、サーバーラックをデータセンターに輸送する前に、サーバをサーバーラック内に取り付ける方法が既に提案されている。データセンターの構築を加速するように、このようなプロセスが新たな傾向になる場合、サーバーラック内に取り付けられたサーバー及びサーバーラック自体の輸送は、何れも振動にさらけ出される。
【００１０】
図１Ａは、輸送用ブラケット１２におけるサーバーラック１０を示す。輸送用ブラケット１２は、普通木材のみで作られるが、プレスボード、繊維板、単板積層材、及び他の木材代用品等のプラスチック及び木質製品を使用してもよい。サーバーラック１０からデータセンターへの輸送前に、サーバー１４、１６と１８等は、予めサーバーラック１０に置かれる。図１Ｂは、サーバーラック１０及びサーバーピラー２４の細部を示す。ピラー２４の下にショックアブソーバー２０及び高度調整可能な足２２が置かれる。図１Ａにおいて、足２２の低い末端２６が輸送用ブラケット１２に噛み合う。例えば高度調整可能な足２８のような調整装置は、低い末端２６の位置を調整するように螺旋状に回転してよく、且つ輸送用ブラケット１２に接触し又は接触しないように低い末端２６を移動することができる。高度調整可能な足２２の螺旋状の回転を調整する以外、例えば、レバーのような他のメカニズムも高度調整可能な足２２の調整に用いられてよい。ショックアブソーバー２０は、多種類の構造であってよい。例として、サーバーラック１０及び輸送用ブラケット１２の移動の期間中、サーバーラック１０及びサーバーラック１０内に位置するサーバー１４、１６と１８等に伝送される震動を吸収するするように、ショックアブソーバー２０は、弾性ゴム又はゴムポリマーで形成されてよい。同時に、ショックアブソーバー２０は、液圧式及び非圧縮性の流体を含んでよい。この流体は、ショックアブソーバーとしてチャンバ間を移動する。更に、データセンターに輸送される時に、ショックアブソーバー２０は、メカニカルスプリングとしてサーバーラック１０及びサーバー１４、１６と１８等に伝送される震動エネルギーを吸収してよい。前記のようなメカニカルスプリング及び液圧流体に加え、空気圧流体は、ショックアブソーバーに使用されてよい。空気は、空気式ショックアブソーバーに使用される最も容易に取得可能で最も安価なガスであるが、空気の代わりに、例えば窒素のような他のガスを使用してもよい。
【００１１】
図２Ａは、キャスター３０及び３２の形態のようなホイールを更に提供する本発明による別の実施例である。キャスター３０及び３２は、図２Ｂの拡大図に示される。高度調整可能な足２２及び３４が正常又は高い位置に位置し、サーバーラック１０及びその中に含まれるサーバー１４、１６と１８等の重量がキャスター３０と３２に受けられることを許容する場合、キャスター３０と３２は、サーバーラック１０及びサーバー１４、１６と１８等の重量を支持する。サーバーがデータセンターまで移動した後で又はデータセンター内で移動した後で、別のホイール子及び／又はキャスター（未図示）もサーバーラック１０及びサーバーラック１０内に含まれるサーバーの重量を支持するように提供されてよいことが理解される。図２Ｂは、ショックアブソーバーの移動を示し、高度調整可能な足２２又は３４が高い位置にあるので、サーバーラック１０及び予め置かれたサーバー１４、１６と１８の全ての重量は、キャスター３０及び３２によって支持され、且つ高度調整可能な足２２及び３４によって支持されない。
【００１２】
図３Ａは、本開示による別の実施例であり、図３Ｂのような一部の拡大模式図に対応する。高度調整可能な足２２及び３４は、輸送用ブラケット１２に接触するまで下がる。この位置で、輸送用ブラケット１２がデータセンターにあり又はデータセンター内にある場合、震動を吸収するように、サーバーラック１０及びサーバーラック１０内に含まれるサーバー１４、１６と１８等の重量は、キャスター３０及び３２によって各高度調整可能な足２２及び３４のショックアブソーバー２０に移転される。
【００１３】
ここで使用する用語は、特定の実施例のみを説明するためのものであり、本発明を限定するものではない。本明細書で使用されるように、単数形「一（ａ）」、「１つ（ａｎ）」と「この（ｔｈｅ）」は、上下文で別に明確に指示されない限り、複数形も含むことが意図される。また、「備える（ｉｎｃｌｕｄｉｎｇ）」、「有する（ｉｎｃｌｕｄｅｓ）」、「含む（ｈａｖｉｎｇ）」、「有する（ｈａｓ）」、「具備する（ｗｉｔｈ）」又はそれらの変形が、詳細な説明及び／又は請求項において使用される限り、このような用語の何れも、「含む（ｃｏｍｐｒｉｓｉｎｇ）」の用語と類似することが意図される。
【００１４】
別に定義されない限り、ここに使用される全ての用語（技術用語及び科学用語を含む）は、当業者によって一般的に理解されるのと同じ意味を有する。更に、辞書に一般的に使用されているような用語は、関連分野の背景に基づき解釈されるべきであり、明確に定義されていない限り、理想化された又は過度に形態的な意味として理解されない。
【符号の説明】
【００１５】
１０  サーバーラック  
１２  輸送用ブラケット  
１４／１６／１８  サーバー
２０  ショックアブソーバー
２２／２８／３４  足  
２４  ピラー
２６  末端
３０／３２  キャスター
【図１】
2019133629.tif 000003
【図２】
2019133629.tif 000004
【図３】
2019133629.tif 000005